(57)【特許請求の範囲】
【請求項１】
ハウジング本体から立設した支柱部より該ハウジング本体の嵌合方向に沿って該支柱部の前後方向に延びた可撓ロックアームを有する一方のコネクタハウジングと、
前記可撓ロックアーム先端のロック部に係合する係合部を有して前記一方のコネクタハウジングに嵌合させた際に前記ロック部と前記係合部との係合によって前記一方のコネクタハウジングに連結される他方のコネクタハウジングと、
前記コネクタハウジング相互の嵌合方向に沿ってスライド可能に前記一方のコネクタハウジングの外周に嵌合する略筒状の検知部材本体と、前記ロック部との係合によって前記検知部材本体を初期位置に規制する位置決め係止部とを有する嵌合検知部材とを備えた半嵌合防止コネクタであって、
前記可撓ロックアームと前記ハウジング本体との間に位置して、前記ロック部と前記位置決め係止部との係合が解除される方向に前記ロック部が移動することを規制する可撓ロックアーム保持部を前記嵌合検知部材に配設したことを特徴とする半嵌合防止コネクタ。
【請求項２】
前記可撓ロックアーム保持部は、前記検知部材本体の少なくとも一方の内側側面から突設されていることを特徴とする請求項１記載の半嵌合防止コネクタ。
【請求項３】
前記可撓ロックアームは、前記可撓ロックアーム保持部に摺接支持されるリブが設けられていることを特徴とする請求項２記載の半嵌合防止コネクタ。
【発明の詳細な説明】
【０００１】
【発明の属する技術分野】
本発明は、半嵌合防止コネクタに関し、詳しくは一組の雌雄コネクタハウジング相互を嵌合させた際に、一方のコネクタハウジングに装着された嵌合検知部材の適正嵌合検知位置へのスライド移動の可否によって、雌雄コネクタハウジング相互の中途嵌合状態を検知する半嵌合防止コネクタに関する。
【０００２】
【従来の技術】
図１５に示したように、従来の半嵌合防止コネクタ１は、雄コネクタハウジングＭと雌コネクタハウジングＦとの一組の雌雄コネクタハウジングＦ，Ｍ相互を嵌合させた際に、一方の雄コネクタハウジングＭに装着されたロック確認用スライダＳの適正嵌合位置へのスライド移動の可否によって、雌雄コネクタハウジングＦ，Ｍ相互の途中嵌合状態を検知するものであった（特開平３−２８５２８０号公報参照）。
【０００３】
雄コネクタハウジングＭの外周壁には、前端の立上り基部２ａを介して後方に延び、中間に係止突起２ｂ、後端に掴み部２ｃを有するロッキングアーム２が設けられている。
また、ロック確認用スライダＳには、ストッパ３ａ及び支持ガイド３ｂが形成されたロック検知アーム３が設けられている。
また、雌コネクタハウジングＦには、ロッキングアーム２の係止突起２ｂに係合する戻り止め部４ａが形成されたロック室４が設けられている。
【０００４】
図１５(ａ)は、ロック確認用スライダＳが装着された雄コネクタハウジングＭと、雌コネクタハウジングＦの初期嵌合状態を示し、ロック検知アーム３は、ストッパ３ａがロッキングアーム２の係止突起２ｂに衝合し、支持ガイド３ｂが係止突起２ｂを支持する状態で初期位置に規制されている。
図１５(ｂ)は、雄コネクタハウジングＭを雌コネクタハウジングＦに更に挿入し、ロッキングアーム２が下方に撓んで係止突起２ｂがロック室４の戻り止め部４ａの案内テーパ４ｂと摺接している状態を示している。
図１５(ｃ)は、雌雄コネクタハウジングＦ，Ｍが完全に嵌合してロッキングアーム２の係止突起２ｂが戻り止め部４ａと係合してロックされ、ロック確認用スライダＳがロック確認位置に移動した状態を示している。これにより、雌雄コネクタハウジングＦ，Ｍが中途嵌合状態ではなく、完全嵌合していることが確認される。
【０００５】
【発明が解決しようとする課題】
しかしながら、上記従来の半嵌合防止コネクタ１では、雌雄コネクタハウジングＦ，Ｍの嵌合状態はロック確認用スライダＳの位置、即ち該ロック確認用スライダＳが初期位置にあるか、又はロック確認位置に移動しているかによって判断される。
そのため、雌雄コネクタハウジングＦ，Ｍの嵌合前は、ロック確認用スライダＳが確実に初期位置に位置していることが必要不可欠であり、嵌合前にロック確認用スライダＳが初期位置以外の位置にあると中途嵌合状態を検知できない場合があった。
【０００６】
すなわち、上記半嵌合防止コネクタ１の嵌合前のロック確認用スライダＳは、ロック検知アーム３のストッパ３ａがロッキングアーム２の係止突起２ｂに衝合して初期位置に規制されている。しかし、ロッキングアーム２は、立上り基部２ａを介して後方に延びる片持ち梁の形状をしており、撓み易い構造となっている。従って、不用意に接触するなどしてロッキングアーム２を図中上方に撓ませると、係止突起２ｂがストッパ３ａから外れ、ロック確認用スライダＳが初期位置から前方に位置ずれしてしまうという問題があった。
【０００７】
また、雌雄コネクタハウジングＦ，Ｍ及びロック確認用スライダＳは、合成樹脂を射出成形して製作されるのが一般的であり、雄コネクタハウジングＭとロック確認用スライダＳが高精度に製作されないと、雄コネクタハウジングＭとロック確認用スライダＳとを組み付けたとき、係止突起２ｂとストッパ３ａとの係合代が少なくなって、ロック確認用スライダＳを初期位置に位置決めさせることが難しいという問題があった。
【０００８】
また、雌雄コネクタハウジングＦ，Ｍを中途嵌合状態ではなく、完全嵌合させるためには、雄コネクタハウジングＭを雌コネクタハウジングＦに嵌合する際に、引っ掛かりなく、滑らかに所定の位置まで挿入できることが必要である。
しかしながら、上記半嵌合防止コネクタ１には、ガイド部材もなく、単に雌雄コネクタハウジングＦ，Ｍの本体同士で相互にガイドするだけなので、雄コネクタハウジングＭが雌コネクタハウジングＦとの嵌合中に傾いてしまう場合があった。従って、雌雄コネクタハウジングＦ，Ｍの軸芯がずれて嵌合し難くなり、雌雄コネクタハウジングＦ，Ｍが中途嵌合状態となる一因となっていた。
【０００９】
本発明は、雌雄コネクタハウジングの嵌合前には、嵌合検知部材を確実に初期位置に位置決めするようにして、雌雄コネクタハウジングの嵌合時に、容易かつ確実に完全嵌合させると共に嵌合状態を確認できる半嵌合防止コネクタを提供することを目的としている。
【００１０】
【課題を解決するための手段】
上記課題を解決する本発明の請求項１記載の半嵌合防止コネクタは、ハウジング本体から立設した支柱部より該ハウジング本体の嵌合方向に沿って該支柱部の前後方向に延びた可撓ロックアームを有する一方のコネクタハウジングと、前記可撓ロックアーム先端のロック部に係合する係合部を有して前記一方のコネクタハウジングに嵌合させた際に前記ロック部と前記係合部との係合によって前記一方のコネクタハウジングに連結される他方のコネクタハウジングと、前記コネクタハウジング相互の嵌合方向に沿ってスライド可能に前記一方のコネクタハウジングの外周に嵌合する略筒状の検知部材本体と、前記ロック部との係合によって前記検知部材本体を初期位置に規制する位置決め係止部とを有する嵌合検知部材とを備えた半嵌合防止コネクタであって、
前記可撓ロックアームと前記ハウジング本体との間に位置して、前記ロック部と前記位置決め係止部との係合が解除される方向に前記ロック部が移動することを規制する可撓ロックアーム保持部を前記嵌合検知部材に配設したことを特徴とする。
【００１１】
上記構成の半嵌合防止コネクタによれば、一方のコネクタハウジングに装着された嵌合検知部材は、他方のコネクタハウジングへの嵌合前には、位置決め係止部とロック部とが係合することによって初期位置に位置規制されている。この時、ロック部が形成された可撓ロックアームは、可撓ロックアーム保持部によって、ロック部と位置決め係止部との係合が解除される方向には撓まないように規制されている。
そして、他方のコネクタハウジングの嵌合によって係合部がロック部に係合するときに、該係合部が位置決め係止部を押し出してロック部と位置決め係止部との係合状態が解除される。
従って、コネクタハウジング相互の嵌合前に、例えば他の部品との不用意な接触により可撓ロックアームを撓ませてロック部と位置決め係止部との係合状態が解除されるようなことはない。また、嵌合検知部材を確実に初期位置に規制することができ、コネクタハウジング相互の嵌合状態を容易に確認することができ、中途嵌合状態を防止することができる。
【００１２】
また、一方のコネクタハウジングに嵌合検知部材を装着したとき、該可撓ロックアーム保持部によって可撓ロックアームの位置を矯正して正規位置に位置決めさせ、ロック部と位置決め係止部との適正な係合代を確保することができる。
従って、可撓ロックアームが位置決め係止部から離反する方向に変形していても、可撓ロックアームを矯正してロック部と位置決め係止部とを適正な係合代で係合させることができる。よって、コネクタハウジング相互の嵌合時の中途嵌合状態を確実に防止することができる。
【００１３】
また、請求項２記載の半嵌合防止コネクタは、可撓ロックアーム保持部は、検知部材本体の少なくとも一方の内側側面から突設されていることを特徴とする。
【００１４】
前記構成の半嵌合防止コネクタによれば、可撓ロックアーム保持部が検知部材本体の一方の内側側面から可撓ロックアームの前方側端部の下方に至る長さだけ突設されている。
従って、可撓ロックアーム前方の下方への不用意な撓みを防止してロック部と位置決め係止部との係合状態を維持することができる。なお、この可撓ロックアーム保持部は、検知部材本体の対向する両内側面に設けても良い。
【００１５】
また、請求項３記載の半嵌合防止コネクタは、可撓ロックアームが、可撓ロックアーム保持部に摺接支持されるリブが設けられていることを特徴とする。
【００１６】
前記構成の半嵌合防止コネクタによれば、可撓ロックアームのリブが可撓ロックアーム保持部により摺接支持される。
従って、可撓ロックアームは、リブにより強度が増強されるとともに安定性が向上して、前方の下方への不用意な撓みを確実に防止してロック部と位置決め係止部との係合状態を維持することができる。
【００２０】
【発明の実施の形態】
以下、本発明の半嵌合防止コネクタの一実施形態を図１乃至図１４に基づいて詳細に説明する。
図１は本発明の半嵌合防止コネクタの第１実施形態を示す嵌合検知部材の斜視図、図２は本発明の半嵌合防止コネクタの第１実施形態を示す雌コネクタハウジングの斜視図、図３は本発明の半嵌合防止コネクタの第１実施形態を示す雌コネクタハウジングに嵌合検知部材を組付けた状態を示す斜視図、図４は図３における正面図、図５は図３における縦断面図、図６は本発明の半嵌合防止コネクタの第１実施形態を示す雌雄コネクタハウジング相互の嵌合中の状態を示す縦断面図、図７は図６における雌雄コネクタハウジング相互の完全嵌合状態を示す縦断面図、図８は雌雄コネクタハウジング相互の完全嵌合状態を示す斜視図である。
図９は本発明の半嵌合防止コネクタの第２実施形態を示す雌コネクタハウジングを上方から観た斜視図、図１０は図９における雌コネクタハウジングを前方から観た斜視図、図１１は本発明の半嵌合防止コネクタの第２実施形態を示す嵌合検知部材の斜視図、図１２は本発明の半嵌合防止コネクタの第２実施形態を示す雌コネクタハウジングに嵌合検知部材を組付けた状態を示す正面図、図１３は図１２における後方から観た外観図、図１４は図１３における縦断面図である。
【００２１】
図７及び図８に示すように第１実施形態の半嵌合防止コネクタ１１は、可撓ロックアーム２１を有する一方のコネクタハウジングである雌コネクタハウジング２０と、可撓ロックアーム２１上に設けられた係止孔（ロック部）２１ａに係合する係合突起（係合部）３１を有する他方のコネクタハウジングである雄コネクタハウジング３０と、雌コネクタハウジング２０に嵌合方向に沿ってスライド可能に外嵌される略筒状の嵌合検知部材４０とから構成されている。
【００２２】
嵌合検知部材４０は、雌雄コネクタハウジング２０，３０相互の嵌合前は、係止孔２１ａとの係合によって初期位置に位置規制されている（図５参照）。
そして、雌雄コネクタハウジング２０，３０相互の完全嵌合時には、係止孔２１ａによる位置規制が係合突起３１の係止孔２１ａへの係合動作によって解除され、初期位置から所定距離だけ離間した適正嵌合検知位置にスライド移動する。従って、嵌合検知部材４０の適正嵌合検知位置へのスライド移動の可否によって、雌雄コネクタハウジング２０，３０相互の中途嵌合状態を検知することができる。
【００２３】
図２に示すように、雌コネクタハウジング２０は、雌形接続端子（図示せず）を收容保持する端子收容室２２ａが形成され、前方よりフロントホルダ２４が装着されたハウジング本体２２と、該ハウジング本体２２の上面に一体成形された可撓ロックアーム２１を備えている。
可撓ロックアーム２１は、ハウジング本体２２の上面の略中央に立設された支柱部２３の上端に、ハウジング本体２２の嵌合方向に沿って支柱部２３の前後に延びており、支柱部２３を支点としてシーソー状に変位可能なように構成されている。
【００２４】
可撓ロックアーム２１の前方の図中右側に突起部２１ｂが形成されており、該突起部２１ｂの下面には、略逆Ｕ字状のロックアームガイド溝２１ｃが該可撓ロックアーム２１の前後方向に沿って形成されている。
また、係止孔２１ａは可撓ロックアーム２１の前端寄りの位置に設けられ、該係止孔２１ａの前端には、嵌合検知部材４０が初期位置から前方に設定されている適正嵌合検知位置までスライド移動したとき、嵌合検知部材４０のスライド移動を規制する検知部材係止部２１ｄが設けられている。また、ハウジング本体２２の後端外側面には、ハウジング本体２２の前後方向に沿って突条のガイド部２２ｂが設けられている。
【００２５】
図７及び図８に示すように、本実施形態の半嵌合防止コネクタ１１において、雄コネクタハウジング３０は、雄形接続端子３０ａを収容したハウジング本体３０ｂの上面中央に、係止孔２１ａと係合する係合突起３１が形成されている。
また、ハウジング本体３０ｂの上面片側寄り（図８中、右側寄り）にロックアームガイド溝２１ｃに嵌合する突条の可撓ロックアームガイド部３０ｃが形成されている。
また、ハウジング本体３０ｂの外周の両側面及び斜め下方（図８中、右側下方）には、検知部材ガイド溝４１ａ，４１ｂに嵌合する突条の嵌合検知部材ガイド部３０ｄ，３０ｅが夫々形成されている。
【００２６】
係合突起３１は、ハウジング本体３０ｂ上面中央の前端寄りの位置に突設されており、雌雄コネクタハウジング２０，３０相互を嵌合させた際に、可撓ロックアーム２１の下面に摺接しながらハウジング本体２２と可撓ロックアーム２１との隙間に侵入する。そして、可撓ロックアーム２１の係止孔２１ａ下方から嵌入するように構成されている。
また、可撓ロックアームガイド部３０ｃはロックアームガイド溝２１ｃに嵌合し、嵌合検知部材ガイド部３０ｄ，３０ｅは夫々検知部材ガイド溝４１ａ，４１ｂに嵌合して雌雄コネクタハウジング２０，３０相互の嵌合方向や嵌合位置を規制して、互いの軸芯を一致させることによって、嵌合動作を円滑に行えるようになっている。
【００２７】
図１に示すように、嵌合検知部材４０は、雌雄コネクタハウジング２０，３０相互の嵌合方向に沿ってスライド可能に雌コネクタハウジング２０の外周に嵌合してハウジング本体２２の周囲を覆う略筒状の検知部材本体４１を備えている。また、係止孔２１ａと係合して検知部材本体４１を初期位置に規制する係止突起（位置決め係止部）４２を備えている。
【００２８】
検知部材本体４１の内側の対向した両側面には、雌コネクタハウジング２０のガイド部２２ｂが摺動自在に嵌合する検知部材ガイド溝４１ａが形成されている。この検知部材ガイド溝４１ａとガイド部２２ｂとを嵌合させることによって、雌雄コネクタハウジング２０，３０相互の嵌合方向に沿ってスライド自在に雌コネクタハウジング２０に装着されている。
また、検知部材本体４１の内面斜め下方（図１中、右斜め下方）には、検知部材ガイド溝４１ｂが形成されている。そして、雌雄コネクタハウジング２０，３０相互の嵌合時に、雄コネクタハウジング３０の嵌合検知部材ガイド部３０ｅを嵌合して雄コネクタハウジング３０と嵌合検知部材４０との軸芯を一致させて円滑に嵌合できるように構成されている。
【００２９】
図１に示すように、本実施形態の半嵌合防止コネクタ１１において、検知部材本体４１の一方の内面上端寄り（図中、右側上端寄り）には、内面側方から水平方向に延びる可撓ロックアーム保持部４１ｃが形成されている。この可撓ロックアーム保持部４１ｃは、雌雄コネクタハウジング２０，３０相互の嵌合方向に沿って突条に形成されている。
従って、図３に示すように、嵌合検知部材４０に雌コネクタハウジング２０を嵌合させると、可撓ロックアーム２１の突起部２１ｂの下面が、該可撓ロックアーム保持部４１ｃの上面に摺接する。これにより、可撓ロックアーム保持部４１ｃは、可撓ロックアーム２１の下面を支持して図中下方への可撓ロックアーム２１の撓みを防止する。
【００３０】
係止突起４２は、検知部材本体４１の上壁の一部を成し、可撓性を有する係止アーム４３の先端下部に突設されており、少なくとも上方に変位可能となっている。また、係止突起４２は、前端面４２ａを係止孔２１ａの前端面２１ｃ（図５参照）に当接した状態で該係止孔２１ａ内に上方から嵌入され、嵌合検知部材４０を初期位置に規制する。
【００３１】
次に、本実施形態の半嵌合防止コネクタ１１の嵌合作用について説明する。
図４及び図５に示すように、雌コネクタハウジング２０に装着された嵌合検知部材４０は、雌雄コネクタハウジング２０，３０相互の嵌合前には、雌コネクタハウジング２０の係止孔２１ａに係止突起４２が上方から嵌入して係合されている。このとき、係止突起４２の前端面４２ａが係止孔２１ａの前端面２１ｃに当接した初期位置に規制されている。
また、可撓ロックアーム２１の突起部２１ｂは、可撓ロックアーム保持部４１ｃによって支持されている。これにより、可撓ロックアーム２１の下方への撓みが規制されると共に、該可撓ロックアーム２１の位置を嵌合前の正規位置に矯正している。即ち、係止孔２１ａと係止突起４２との係合代は、適正な寸法に保持され確実に係合することが保証される。
【００３２】
次に、図６に示すように、雌雄コネクタハウジング２０，３０相互の嵌合操作時に、雄コネクタハウジング３０が所定位置まで嵌合すると、雄コネクタハウジング３０の係合突起３１が可撓ロックアーム２１の下方から係止孔２１ａに嵌入する。これにより、係止孔２１ａ内に係合していた係止突起４２は、係合突起３１によって矢印Ｂ方向に押し出されて、嵌合検知部材４０の初期位置への規制が解除され、該嵌合検知部材４０は前方に移動可能な状態となる。
【００３３】
なお、図８に示したように、雌雄コネクタハウジング２０，３０相互の嵌合時には、可撓ロックアームガイド部３０ｃはロックアームガイド溝２１ｃに嵌合する。そして、嵌合検知部材ガイド部３０ｄ，３０ｅは夫々検知部材ガイド溝４１ａ，４１ｂに嵌合して、雌雄コネクタハウジング２０，３０相互の嵌合方向や嵌合位置を規制する。従って、雌雄コネクタハウジング２０，３０の互いの軸芯を一致させるので、嵌合動作を円滑に行うことができる。
【００３４】
次に、図７に示すように、嵌合検知部材４０を前方の適正嵌合検知位置に移動させると、係止突起４２が検知部材係止部２１ｄに係止され、嵌合検知部材４０のスライド移動が規制される。そして、係止突起４２が検知部材係止部２１ｄに係止されるときにクリック感が発生するので、雌雄コネクタハウジング２０，３０相互の完全嵌合状態を検知することができる。
【００３５】
また、嵌合検知部材４０の後端は、嵌合検知部材４０が適正嵌合検知位置に位置するときには、雌コネクタハウジング２０のハウジング後端に略一致するように設定されているので、外観を目視することで容易に嵌合状態を検知することができる。
【００３６】
次に、本発明の半嵌合防止コネクタの第２実施形態について説明する。
なお、第１実施形態で説明した部材等と同様な構成・作用を有する部材については、図中に同一符号又は相当符号を付することにより、説明を簡略化或いは省略する。
図１２及び図１３に示すように第２実施形態の半嵌合防止コネクタ５１は、一方のコネクタハウジングである雌コネクタハウジング２０の可撓ロックアーム２１に一対のリブ２１ｅ，２１ｆが設けられ、嵌合検知部材４０に一対の可撓ロックアーム保持部４１ｄ，４１ｅが設けられている。
【００３７】
図９及び図１０に示すように、雌コネクタハウジング２０は、ハウジング本体２２の上面に一体成形された可撓ロックアーム２１を備えている。可撓ロックアーム２１は、ハウジング本体２２の上面の略中央に立設された支柱部２３の上端に、ハウジング本体２２の嵌合方向に沿って支柱部２３の前後に延びており、支柱部２３を支点としてシーソー状に変位可能なように構成されている。
【００３８】
可撓ロックアーム２１の前方の図１０中右側に突起部２１ｂが形成されており、該突起部２１ｂの下面には、略逆Ｕ字状のロックアームガイド溝２１ｃが該可撓ロックアーム２１の前後方向に沿って形成されている。
また、係止孔２１ａは可撓ロックアーム２１の前端寄りの位置に設けられ、該係止孔２１ａの前端には、嵌合検知部材４０が初期位置から前方に設定されている適正嵌合検知位置までスライド移動したとき、嵌合検知部材４０のスライド移動を規制する検知部材係止部２１ｄが設けられている。そして、可撓ロックアーム２１の外側縁部に、一対のリブ２１ｅ，２１ｆが設けられている。
このリブ２１ｅ、２１ｆは、突起部２１ｂ及び検知部材係止部２１ｄの剛性を高めるために側部に突設されているので、可撓ロックアーム２１全体の強度が増強されるとともに安定性が向上して、前方の下方への不用意な撓みを確実に防止して、係止孔２１ａと後述する嵌合検知部材４０の係止突起４２との係合状態を維持することができる。
【００３９】
図１１に示すように、嵌合検知部材４０は、検知部材本体４１の両方の内面上端寄り（図中、右側及び左側上端寄り）に、内面側方から水平方向に延びる一対の可撓ロックアーム保持部４１ｄ，４１ｅが形成されており、可撓ロックアーム保持部４１ｄ，４１ｅは、雌雄コネクタハウジング相互の嵌合方向に沿って突条に形成されている。
図１２及び図１３に示すように、嵌合検知部材４０に雌コネクタハウジング２０を嵌合させると、可撓ロックアーム２１の一対のリブ２１ｅ，２１ｆの下面が、一対の可撓ロックアーム保持部４１ｄ，４１ｅの上面に摺接する。これにより、可撓ロックアーム保持部４１ｄ、４１ｅは、可撓ロックアーム２１の下面を支持して図中下方への可撓ロックアーム２１の撓みを確実に防止する。
【００４０】
次に、本実施形態の半嵌合防止コネクタ５１の嵌合作用について説明する。
図１２，図１３及び図１４に示すように、雌コネクタハウジング２０に装着された嵌合検知部材４０は、雌雄コネクタハウジング相互の嵌合前には、雌コネクタハウジング２０の係止孔２１ａに係止突起４２が上方から嵌入して係合されている。このとき、係止突起４２の前端面４２ａが係止孔２１ａの前端面２１ｃに当接した初期位置に規制されている。
また、可撓ロックアーム２１は、可撓ロックアーム保持部４１ｄ，４１ｅによって支持されている。これにより、可撓ロックアーム２１の下方への撓みが規制されると共に、該可撓ロックアーム２１の位置を嵌合前の正規位置に矯正している。
【００４１】
第２実施形態の半嵌合防止コネクタ５１によれば、可撓ロックアーム２１に、一対の可撓ロックアーム保持部４１ｄ，４１ｅに摺接支持される一対のリブ２１ｅ，２１ｆが設けられている。
従って、可撓ロックアーム２１は、一対のリブ２１ｅ、２１ｆにより強度が増強されるとともに安定性が向上して、前方の下方への不用意な撓みを確実に防止して、係止孔２１ａと係止突起４２との係合状態を維持することができる。
【００４２】
なお、本発明の半嵌合防止コネクタにおいては、上記実施形態に限定されるものではなく、別の形態でも実施することができる。例えば、可撓ロックアーム保持部は、嵌合検知部材の一方の内側面に形成されていたが、嵌合検知部材の両内側面の対向する位置に設け、可撓ロックアームを両側から支持して係止孔と係止突起との係合をより確実に保証することも可能である。
【００４３】
【発明の効果】
以上説明したように本発明の請求項１記載の半嵌合防止コネクタによれば、ロック部と位置決め係止部との係合が解除される方向に可撓ロックアームが移動するのを規制する可撓ロックアーム保持部が嵌合検知部材に設けられている。
従って、雌雄コネクタハウジングの嵌合前の可撓ロックアームは、可撓ロックアーム保持部によってロック部と位置決め係止部との係合状態が解除される方向に変位できないように規制されている。よって、雌雄コネクタハウジング相互の嵌合前に、他の部材が可撓ロックアームに接触してもロック部と位置決め係止部との係合状態が解除されるようなことはなく、嵌合検知部材を確実に初期位置に規制することができる。
【００４４】
また、一方のコネクタハウジングに嵌合検知部材を装着したとき、可撓ロックアーム保持部によって可撓ロックアームの位置を矯正して正規位置に位置決めさせ、ロック部と位置決め係止部との適正な係合代を確保することができる。
従って、可撓ロックアームが位置決め係止部から離反する方向に変形していても、可撓ロックアームを矯正してロック部と位置決め係止部とを適正な係合代で係合させることができる。よって、雌雄コネクタハウジング相互の嵌合時の中途嵌合状態を確実に防止することができる。
【００４５】
また、本発明の請求項２記載の半嵌合防止コネクタによれば、可撓ロックアーム保持部は、検知部材本体の少なくとも一方の内側側面から突設されているので、可撓ロックアーム前方の下方への不用意な撓みを簡単な構成で確実に防止することができる。従って、雌雄コネクタハウジングの嵌合前のロック部と位置決め係止部との係合状態を維持することができる。
【００４６】
また、本発明の請求項３記載の半嵌合防止コネクタによれば、可撓ロックアームに、可撓ロックアーム保持部に摺接支持されるリブが設けられているので、可撓ロックアームは、リブにより強度が増強されるとともに安定性が向上して、前方の下方への不用意な撓みを確実に防止することができる。従って、雌雄コネクタハウジングの嵌合前のロック部と位置決め係止部との係合状態を維持することができる。
【図面の簡単な説明】
【図１】本発明の半嵌合防止コネクタの第１実施形態を示す嵌合検知部材の斜視図である。
【図２】本発明の半嵌合防止コネクタの第１実施形態を示す雌コネクタハウジングの斜視図である。
【図３】本発明の半嵌合防止コネクタの第１実施形態を示す雌コネクタハウジングに嵌合検知部材を組付けた状態を示す斜視図である。
【図４】図３における正面図である。
【図５】図３における縦断面図である。
【図６】本発明の半嵌合防止コネクタの第１実施形態を示す雌雄コネクタハウジング相互の嵌合中の状態を示す縦断面図である。
【図７】図６における雌雄コネクタハウジング相互の完全嵌合状態を示す縦断面図である。
【図８】図６における雌雄コネクタハウジング相互の完全嵌合状態を示す斜視図である。
【図９】本発明の半嵌合防止コネクタの第２実施形態を示す雌コネクタハウジングを上方から観た斜視図である。
【図１０】図１０における雌コネクタハウジングを前方から観た斜視図である。
【図１１】本発明の半嵌合防止コネクタの第２実施形態を示す嵌合検知部材の斜視図である。
【図１２】本発明の半嵌合防止コネクタの第２実施形態を示す雌コネクタハウジングに嵌合検知部材を組付けた状態を示す正面図である。
【図１３】図１２における後方から観た外観図である。
【図１４】図１３における縦断面図である。
【図１５】従来の半嵌合防止コネクタの縦断面図であり、(ａ)は雌雄コネクタハウジング相互の嵌合前の状態を示す縦断面図、(ｂ)は雌雄コネクタハウジング相互の嵌合中の状態を示す縦断面図、(ｃ)は雌雄コネクタハウジング相互の完全嵌合状態を示す縦断面図である。
【符号の説明】
１１，５１    半嵌合防止コネクタ
２０    雌コネクタハウジング（一方のコネクタハウジング）
２１    可撓ロックアーム
２１ａ  係止孔（ロック部）
２１ｂ  突起部
２１ｃ  ロックアームガイド溝
２１ｄ，２１ｅ  リブ
３０    雄コネクタハウジング（他方のコネクタハウジング）
３０ｃ  可撓ロックアームガイド部
３０ｄ，３０ｅ  嵌合検知部材ガイド部
３１    係合突起（係合部）
４０    嵌合検知部材
４１    検知部材本体
４１ａ，４１ｂ  検知部材ガイド溝
４１ｃ，４１ｄ，４１ｅ  可撓ロックアーム保持部
４２    係止突起（位置決め係止部）
【図１】
0003976134.tif 000002
【図２】
0003976134.tif 000003
【図３】
0003976134.tif 000004
【図４】
0003976134.tif 000005
【図５】
0003976134.tif 000006
【図６】
0003976134.tif 000007
【図７】
0003976134.tif 000008
【図８】
0003976134.tif 000009
【図９】
0003976134.tif 000010
【図１０】
0003976134.tif 000011
【図１１】
0003976134.tif 000012
【図１２】
0003976134.tif 000013
【図１３】
0003976134.tif 000014
【図１４】
0003976134.tif 000015
【図１５】
0003976134.tif 000016